(57)【要約】【課題】  穴掘り杭打ち機によって基礎用杭等を建て込む作業を行うときに、空中に障害物がある場合でも、作業機のブームとリーダを障害物の下を潜らせて、障害物の先にリーダを垂直に立てることができ、かつ十分な杭の建て込み長さを確保できるようにする。【解決手段】  穴掘り杭打ち機(B)は、油圧式ショベル系掘削機(S)のアーム(3)先端に穴掘り杭打ち用アタッチメント(A)を取り付けたものである。アタッチメント(A)はリーダ(1)を備えている。リーダ(1)は、リーダ基体(10)を有している。リーダ基体(10)には、リーダ(1)の高さまたは長さを変える伸縮体(11)が設けてある。伸縮体(11)は油圧シリンダによって伸縮される。伸縮体(11)には穴堀り具(5)または杭(6)を取り付けて回転させるモータ(2)が設けてある【選択図】        図８
2005068729.tif 000002
【特許請求の範囲】
【請求項１】
作業機(S)のブーム(4)またはアーム(3)に取り付けて使用する穴掘り杭打ち用アタッチメントであって、
該アタッチメントはリーダ(1)を備えており、
該リーダ(1)は、作業機(S)のブーム(4)またはアーム(3)に取り付けられるリーダ基体(10)と、該リーダ基体(10)に設けてありリーダ(1)の高さまたは長さを変える伸縮体(11)と、該伸縮体(11)を伸縮させる手段(18)を有し、
該伸縮体(11)には、穴堀り具(5)または杭(6)を回転させるモータ(2)が設けてあることを特徴とする、
穴掘り杭打ち用アタッチメント。
【請求項２】
穴堀り具(5)または杭(6)を吊り上げる手段(16,160)を備えていることを特徴とする、
請求項１記載の穴掘り杭打ち用アタッチメント。
【請求項３】
リーダ基体(10)の下部(12)が伸縮可能であることを特徴とする、
請求項１または２記載の穴掘り杭打ち用アタッチメント。
【請求項４】
リーダ基体(10)の下部に地面に接地する接地部材(121)が設けられ、接地部材(121)は地面の傾斜に合わせて角度が変わるよう構成してあることを特徴とする、
請求項１、２または３記載の穴掘り杭打ち用アタッチメント。
【請求項５】
リーダ基体(10)の下部に作業機(S)との間で間隔固定部材(7)を設けるための連結部(13)を有することを特徴とする、
請求項１、２、３または４記載の穴掘り杭打ち用アタッチメント。
【請求項６】
リーダ(1)を備えており、該リーダ(1)は、作業機(S)のブーム(4)またはアーム(3)に取り付けられるリーダ基体(10)と、該リーダ基体(10)に設けてありリーダ(1)の高さまたは長さを変える伸縮体(11)と、該伸縮体(11)を伸縮させる手段(18)を有し、該伸縮体(11)には、穴堀り具(5)または杭(6)を回転させるモータ(2)が設けてあることを特徴とする、
穴掘り杭打ち機。
【発明の詳細な説明】
【技術分野】
【０００１】
本発明は穴掘り杭打ち用アタッチメント及び穴掘り杭打ち機に関するものである。更に詳しくは、電線や看板あるいは家の軒等、空中に障害物があるところでも、十分な杭の建て込み長さを確保しながら、障害物に接触することなく比較的容易かつ安全に穴堀り作業と杭打ち作業を行うことができるものに関する。
【背景技術】
【０００２】
一般の住宅や大型の看板、信号機等、ほとんどの建造物には、耐久性を付与するために基礎が必要になる。基礎を施工する際、特に地盤が軟弱である場合は、基礎の下部に杭を建て込み、基礎の沈下を防止して強度を確保する。なお、「建て込む」の用語は、杭を打ち込む、差し込む、ねじ込む、沈設する、圧設する、埋設する等の各意味を含む。
この杭打ち作業及びそれに伴う穴掘り作業を一台で行うことができる穴掘り杭打ち機が従来より使用されている。穴掘り杭打ち機は、施工地にリーダを垂直に立て、このリーダに沿ってスクリューオーガを地中に送って穿孔することができる（特許文献１参照）。
【特許文献１】特開平５−１３２９３６号公報
【発明の開示】
【発明が解決しようとする課題】
【０００３】
しかしながら、上記特許文献１記載の穴掘り杭打ち機（アースオーガ杭打機）には、次のような課題があった。
立て込まれる杭の長さは、施工地の各条件によって要求は様々である。従って、想定される最も長い杭の長さに合わせてリーダの長さが設定されている。このため、長さが３ｍの杭を建て込む場合でも、例えば６ｍ用のリーダを備えた穴掘り杭打ち機が使用される場合も多い。
【０００４】
図１４を参照する。
例えば電線等の架線Ｃがあるところで基礎用の杭打ち作業を行う場合、作業機９１のブームまたはアーム９２とリーダ９３とで架線Ｃを跨ぐようにしてリーダ９３を垂直に設定する必要がある。
架線Ｃが多くないところでは、ブームまたはアーム９２を操作し架線Ｃを跨ぐようにしてリーダを９３上から降ろす方法でポイントＰに設定が可能である。
【０００５】
しかし、例えば架線Ｃが多く、その間隔が狭かったりすると、ブームまたはアーム９２やリーダ９３が架線Ｃに触れたり切断してしまう危険性が高く、その作業はきわめて困難になる。
なお、この場合、ブームまたはアーム９２とリーダ９３を架線Ｃの下を潜らせてリーダ９３を垂直に設定しようとしても、長いリーダ９３を垂直に立てようとするときに、ブームまたはアーム９２が架線Ｃに下から接触するため、この方法でも作業が困難であることに変わりはない。
【０００６】
（本発明の目的）
本発明の目的は、例えば基礎用杭を建て込む作業を行うときに、空中に障害物がある場合、作業機のブームとリーダを障害物の下を潜らせて、障害物の先にリーダを垂直に立てることができ、かつ十分な杭の建て込み長さを確保できる穴掘り杭打ち用アタッチメント及び穴掘り杭打ち機を提供することである。
【課題を解決するための手段】
【０００７】
上記課題を解決するために講じた本発明の手段は次のとおりである。
第１の発明にあっては、
作業機のブームまたはアームに取り付けて使用する穴掘り杭打ち用アタッチメントであって、
該アタッチメントはリーダを備えており、
該リーダは、作業機のブームまたはアームに取り付けられるリーダ基体と、該リーダ基体に設けてありリーダの高さまたは長さを変える伸縮体と、該伸縮体を伸縮させる手段を有し、
該伸縮体には、穴堀り具または杭を回転させるモータが設けてあることを特徴とする、
穴掘り杭打ち用アタッチメントである。
【０００８】
第２の発明にあっては、
穴堀り具または杭を吊り上げる手段を備えていることを特徴とする、
第１の発明に係る穴掘り杭打ち用アタッチメントである。
【０００９】
第３の発明にあっては、
リーダ基体の下部が伸縮可能であることを特徴とする、
第１または第２の発明に係る穴掘り杭打ち用アタッチメントである。
【００１０】
第４の発明にあっては、
リーダ基体の下部に地面に接地する接地部材が設けられ、接地部材は地面の傾斜に合わせて角度が変わるよう構成してあることを特徴とする、
第１、第２または第３の発明に係る穴掘り杭打ち用アタッチメントである。
【００１１】
第５の発明にあっては、
リーダ基体の下部に作業機との間で間隔固定部材を設けるための連結部を有することを特徴とする、
第１、第２、第３または第４の発明に係る穴掘り杭打ち用アタッチメントである。
【００１２】
第６の発明にあっては、
リーダを備えており、該リーダは、作業機のブームまたはアームに取り付けられるリーダ基体と、該リーダ基体に設けてありリーダの高さまたは長さを変える伸縮体と、該伸縮体を伸縮させる手段を有し、該伸縮体には、穴堀り具または杭を回転させるモータが設けてあることを特徴とする、
穴掘り杭打ち機である。
【００１３】
リーダの上部の伸縮構造は、いわゆる入子式（可動型）であるが、他の伸縮構造を採用してもよい。また、入子式の構造の段数も特に限定されるものではなく、比較的短い杭の杭打ち用としては２〜３段のものが採用されるが、比較的長い杭の杭打ち用としては４段以上を採用してもよい。
【００１４】
穴掘り杭打ち用アタッチメントは、作業機（例えば、油圧式ショベル系掘削機等の汎用機）のブームまたはアーム先端部に装着して使用するものである。
また、穴掘り杭打ち機は、作業機に穴掘り杭打ち用アタッチメントを取り付けたタイプと、穴堀り作業と杭打ち作業を行うための専用機タイプの両タイプを含むものである。
【００１５】
（作用）
本発明に係る穴掘り杭打ち用アタッチメントは次のように作用する。
まず、穴掘り杭打ち用アタッチメントを作業機（油圧式ショベル系掘削機等）のブームまたはアーム先端に取り付ける。
作業機のブームまたはアームを操作してアタッチメントを施工地に立ててリーダを垂直にする。
【００１６】
穴掘り作業（アースオーガ作業ともいう）と杭の建て込み作業を行うときの手順は次の通りである。
（１）リーダの伸縮体に設けてあるモータ（油圧モータ等）の回転軸に、伸縮可能な穴掘り具（スパイラルオーガ等）を取り付ける。穴堀り具は懸垂されて、垂直なリーダと平行になる。
（２）穴堀り具の係止ピンを外す等して、穴堀り具をスライド伸縮可能にし、先端部側を地面に落とす。そして、リーダの上部の伸縮体を伸張して（上昇させて）穴堀り具基部を上昇させ、穴堀り具を伸ばす。穴堀り具は所定の長さになったところでスライドがロックし、長さが固定される。
（３）モータを駆動し、回転軸を回転させながらリーダの上部を縮小して穴堀り具を回転させながら下降させ、穴堀り具のスパイラルにより地面に穿孔する。
【００１７】
（４）リーダの上部の伸縮体を伸張して穴堀り具を上昇させ（同時に穴堀り具を逆回転させることもある）、穿孔された孔部から抜く。伸張している穴堀り具は、通常は上記と逆の操作で縮小し、係止ピンで長さを短い長さで固定しておく。
（５）穴堀り具をモータの回転軸から取り外し、替わりに回転軸に必要な長さの杭（スパイラル杭等）を取り付ける。なお、穴堀り具やスパイラル杭の取り付け、取り外し作業は、アタッチメントに備えたウインチ等の吊り上げ手段を使用し、ワイヤ等で吊って行うが、他の手段で行ってもよい。
（６）リーダの伸縮体を縮小し、杭を下降させる。モータを駆動し、杭を回転させながら更に下降させて、地面に設けた孔をガイドとして建て込む。リーダの伸縮体が縮小したとき、杭の上部は、まだ一部（穴掘り具の縮小時の長さ程度）が地面から突出している。
【００１８】
（７）杭の上部からモータの回転軸を取り外し、リーダの伸縮体を伸張し、上昇させる。そして、杭の上部とモータの回転軸の間に軸周方向に回転しないようにスペーサ杭を接合する。
（８）モータを駆動し、杭とスペーサ杭を回転させながらリーダの伸縮体を縮小し、杭とスペーサ杭を更に下降させて地面に建て込む。杭の上端部（基端部）が地面から所要長さ突出する位置（基礎部とつながる部分であり、高さは適宜決められる）まで下降したときに、モータの駆動が止められ、スペーサ杭が杭から取り外される。なお、スペーサ杭は杭の建て込み長が長ければ次々に接合されて地中に埋設されることになるが、最上部のスペーサ杭は最終的に取り外される。
【００１９】
上記構造の穴掘り杭打ち機を、例えば、作業機を道路側に停車し、電線等の架線の向こう側に住宅基礎用の杭を建て込む作業に使用する場合は、アタッチメントを次のように設置（設定）する。
まず、アタッチメントをブームまたはアームの下に抱き込むように斜めにし、作業機を走行させたりブームやアームを操作して、アタッチメントを架線の下に潜らせる。
アタッチメントが架線の位置を越えたところで、作業機のブームまたはアームを操作してアタッチメントを施工地（施工箇所）に立ててリーダを垂直にする。
【００２０】
リーダの高さが変えられるよう上部側を伸縮可能としたことにより、杭の建て込み長さを従来通り確保しながらリーダの長さ（縮小時）を短く設定できる。これにより、伸張前では、立てたときのリーダの高さが低くなるので、作業機のブームまたはアームの取付部の高さも低く設定できる。
従って、ブームまたはアームとリーダを障害物の下を潜らせても、垂直に立てるときにブームまたはアームが障害物に下から接触することなくリーダを垂直に立てることが可能になる。
このようにして、リーダを垂直に立てた状態でアタッチメントを架線の向こう側に立てることができる。
【００２１】
穴堀り具または杭を吊り上げる手段を備えているものは、穴堀り具やスパイラル杭をモータに取り付けたり取り外したりする作業を行う際、比較的重量物である穴堀り具やスパイラル杭を吊り上げて作業できるので、作業を安全かつ容易に行うことができる。
【００２２】
また、リーダ基体の下部が伸縮可能であるものは、アタッチメントを施工地に設定するときに、リーダ下端部を地面から浮かせた状態でリーダを垂直に設定し、リーダ下部を伸張させて下端部を地面に接地させるようにする。これによれば、ブームまたはアームの操作により、リーダの下端部の地面への接地と垂直度を同時に調整するよりも作業が簡単かつ迅速にできる。
【００２３】
リーダ基体の下部に地面に接地する接地部材が設けられ、接地部材は地面の傾斜に合わせて角度が変わるよう構成してあるものは、地面の傾斜に合わせて確実にリーダの下端部を地面に据えることができる。また、接地部材は従来のリーダのように地面に刺さって据えられるものと相違して、地面に無用な穴をつくらず、地面を荒らさない。従って、整地等の手間もかからず、安全面でも優れている。
【００２４】
更に、リーダ基体の下部に作業機との間で間隔固定部材を設けるための連結部を有するものは、アタッチメントを作業機のブーム先端に取り付け、更にブーム基部と連結部の間に間隔固定部材を設けて、ブーム、アタッチメント、間隔固定部材によって三角形状をつくって穴掘りや杭打ち作業を行うことができる。
この三角形状をつくることにより、アタッチメントを単にアーム先端に取り付けた場合のように、関節部のブレ、ガタが生じることがなく、アタッチメントのより強固な支持が可能になる。従って、より太く強固な杭を建て込むとき、あるいは比較的耐力のある地面に杭を建て込むときに作業が確実にできる。
【発明の効果】
【００２５】
（ａ）本発明に係る穴掘り杭打ち用アタッチメント及び穴掘り杭打ち機は、リーダの高さまたは長さを変えられるよう上部側を伸縮可能としたことにより、杭の建て込み長さを従来通り確保しながらリーダの長さ（縮小時）を短く設定できる。
これにより、立てたときのリーダの高さが低くなるので、作業機のブームまたはアームの取付部の高さも低く設定できる。従って、ブームまたはアームとリーダを障害物の下を潜らせても、垂直に立てるときにブームまたはアームが障害物に下から接触することなくリーダを垂直に立てることができる。
従って、空中に架線等の障害物が多くある場合等、従来、障害物を上方から跨いで設定することができず、据えることができなかった場所にも、穴掘り杭打ち機のリーダ部を安全かつ迅速に据えることが可能になる。
【００２６】
（ｂ）穴堀り具または杭を吊り上げる手段を備えているものは、穴堀り具や杭をモータに取り付けたり取り外したりする作業を行う際、比較的重量物である穴堀り具や杭を吊り上げて作業できるので、作業を安全かつ容易に行うことができる。
【００２７】
（ｃ）リーダ基体の下部が伸縮可能であるものは、アタッチメントを施工地に設定するときに、リーダ下端部を地面から浮かせた状態でリーダを垂直に設定し、リーダ下部を伸張させて下端部を地面に接地させるようにする。これによれば、ブームまたはアームの操作により、リーダの下端部の地面への接地と垂直度を同時に調整するよりも作業が簡単かつ迅速にできる。
【００２８】
（ｄ）リーダ基体の下部に地面に接地する接地部材が設けられ、接地部材は地面の傾斜に合わせて角度が変わるよう構成してあるものは、地面の傾斜に合わせて確実にリーダの下端部を地面に据えることができる。また、接地部材は従来のリーダのように地面に刺さって据えられるものと相違して、地面に無用な穴をつくらず、地面を荒らさない。従って、整地等の手間もかからず、作業者が足を取られる心配がない等、安全面でも優れている。
【００２９】
（ｅ）リーダ基体の下部に作業機との間で間隔固定部材を設けるための連結部を有するものは、アタッチメントを作業機のブーム先端に取り付け、更にブーム基部と連結部の間に間隔固定部材を設けて、ブーム、アタッチメント、間隔固定部材によって三角形状をつくって穴掘りと杭打ち作業を行うことができる。
この三角形状をつくることにより、アタッチメントを単にアーム先端に取り付けた場合のように、関節部のブレ、ガタが生じることがなく、アタッチメントのより強固な支持が可能になる。従って、より太く強固な杭を建て込むとき、あるいは比較的耐力のある地面に杭を建て込むときに作業が確実にできる。
【発明を実施するための最良の形態】
【００３０】
本発明を図面に示した実施例に基づき更に詳細に説明する。
【実施例１】
【００３１】
図１は本発明に係る穴掘り杭打ち用アタッチメントの一実施例を示す説明図、
図２は図１に示す穴掘り杭打ち用アタッチメントのリーダ上部が伸張した状態を示す説明図である。
穴掘り杭打ち用アタッチメントＡ（以下、単にアタッチメントＡという）は、作業機のブームまたはアーム先端に取り付けて使用されるものである。
なお、以下の説明において、位置や方向を説明するときに、図１、図２における右側を前部側、左側を後部側、奥行き方向の手前側（紙面側）を右側、奥側（紙背側）を左側と表現することがある。
【００３２】
アタッチメントＡは、伸縮可能なリーダ１を備えている。
リーダ１は、四角筒状のリーダ基体１０と、同じく四角筒状の伸縮体１１を有している。伸縮体１１は、下部がリーダ基体１０に内嵌めされてスライド可能な挿入部１１１となっており、上部がリーダ基体１０と同じ胴径を有するヘッド部１１２となっている。
なお、リーダ基体１０上端部とヘッド部１１２下端部の当接面は、それぞれ同じ角度で傾斜させてあり、互いに密着したときに当接面がずれることにより挿入部１１１がリーダ基体１０内で一方側に寄せられ、ガタが生じないようになっている。
【００３３】
リーダ１を構成するリーダ基体１０の下端部には、接地部材１２が設けてある。接地部材１２は、下部に下面が平坦な接地板１２１を有しており、軸１２２によって揺動（回動）可能に取り付けてある。なお、本実施例では、接地部材１２は一方向のみに揺動する構造としたが、これに限定されず、例えば揺動中心部に球体を使用し、これを受部空間に嵌め入れ、全方向に揺動できる構造とすることもできる。
【００３４】
リーダ基体１０の後部側の外面には、下端部からやや上方に作業機との間で間隔固定部材７を設けるための連結部である連結ブラケット１３が設けてある。連結ブラケット１３は左右に所要間隔をおいて平行に並設された二枚の板（符号省略）からなり、各板には連結孔１３１が設けてある。なお、連結ブラケット１３の作用については後述する。
【００３５】
また、リーダ基体１０の後部側の外面には、上端部からやや下方に作業機のアーム先端を取り付けるための取付ブラケット１４が設けてある。取付ブラケット１４は左右に所要間隔をおいて平行に並設された二枚の板（符号省略）からなり、各板には取付孔１４１、１４２が設けてある。下側の取付孔１４１は、アーム先端部がピン等を介し軸着される孔である。上部側の取付孔１４２は、リンク先端部がピン等を介し軸着される孔である。
【００３６】
リーダ基体１０のうち取付ブラケット１４のやや上方に設けてあるのは、ワイヤ取付片１５である。また、リーダ基体１０のうち連結ブラケット１３と取付ブラケット１４のほぼ中間部分には、電動ウインチ１６が設けてある。更に、リーダ基体１０の前部側の外面には、下端部からやや上方に杭用ガイド１７が設けてある。杭用ガイド１７は、スパイラル杭６を挿通するガイド孔１７１を有している。
【００３７】
リーダ１を構成する伸縮体１１の挿入部１１１は、図１に示すようにリーダ基体１０よりやや短い長さに設定されている。
伸縮体１１は、リーダ基体１０に内蔵されている油圧シリンダ１８により、リーダ基体１０をガイドとして、図１、図２において上下方向にスライドして伸縮する。
油圧シリンダ１８のシリンダ１８１の下部は、ピン１８３によりリーダ基体１０下部に固定してある。また、油圧シリンダ１８のロッド１８２の上端部は、伸縮体１１のヘッド部１１２の内天部にピン１８４により固定してある。
【００３８】
なお、伸縮体１１の挿入部１１１は、この油圧シリンダ１８を内包するように外側に入るようになっている。また、挿入部１１１は、油圧シリンダ１８のロッド１８２が縮小するとリーダ基体１０内に収まり、ロッド１８２が伸張したときには、下部の一部がリーダ基体１０上部に残るようになっている。
【００３９】
伸縮体１１のヘッド部１１２上面の前後には、滑車１１３、１１４が設けてある。滑車１１３、１１４には、電動ウインチ１６のワイヤ１６１が回し掛けられる。ワイヤ１６１の先端部には、オーガ５やスパイラル杭６を吊り上げたり降ろしたりするときに、それらに取り付ける取付具１６２が設けてある。
【００４０】
ヘッド部１１２の上部側の前部には、前方へ突出して吊下支持部材１１５が設けてある。吊下支持部材１１５には、ピン２１によって揺動可能に油圧モータ２が取り付けてある。油圧モータ２は、下部に回転軸２０を有している。この回転軸２０には、スパイラルオーガ５やスパイラル杭６の上端部（基端部）をピンの抜き差し等により、着脱可能に取り付けることができる。
【００４１】
（作用）
図３は作業機のアーム先端に穴掘り杭打ち用アタッチメントを取り付けて穴掘り杭打ち機を構成し、アームとアタッチメントを架線の下を潜らせている状態を示す説明図、
図４は架線の下を潜らせた穴掘り杭打ち用アタッチメントを垂直に立てて地面に据え、更にリーダ上部を伸張し、オーガを伸張させた状態を示す説明図、
図５はオーガを下降させ、地面に穿孔した状態の説明図、
図６はオーガを取り外した後、スパイラル杭を吊り上げてモータの回転軸に取り付けた状態を示す説明図、
図７はスパイラル杭を下降させて先部を地面に立て込んだ状態を示す説明図、
図８はスパイラル杭とモータ回転軸との間にスペーサ杭を取り付けた状態を示す説明図、
図９はスパイラル杭を所定の深さまで立て込んだ状態を示す説明図である。
図１ないし図９を参照し、本発明に係るアタッチメントＡ及び穴掘り杭打ち機Ｂの作用を説明する。
【００４２】
まず、アタッチメントＡを作業機である油圧式ショベル系掘削機Ｓのアーム３の先端に取り付ける。アーム３先端部は、取付ブラケット１４の下側の取付孔１４１にピンを介し軸着され、リンク３０先端部は上部側の取付孔１４２にピンを介し軸着されている。
油圧式ショベル系掘削機Ｓを道路側に停車し、電線等の架線Ｃの向こう側のポイントＰに住宅基礎用の杭を建て込む場合は、アタッチメントＡをブーム４とアーム３の下に抱き込むように斜めにして架線Ｃの下を潜らせる（図３参照）。
【００４３】
架線Ｃ（図において左側）の位置を越えたところで、ブーム４またはアーム３を操作してアタッチメントＡを立ててリーダ１を垂直にし、接地部材１２の接地板１２１を地面Ｇに接地させる（図４参照）。なお、接地板１２１は地面Ｇの傾斜に合わせて角度が変わるので確実に地面Ｇに据えることができる。これにより、地面Ｇに無用な穴をつくらず、荒らさないので、整地等の手間もかからず、作業者が足を取られる心配がない等、安全面でも優れている。
【００４４】
杭の建て込み作業を行うときの手順は次の通りである。
（１）リーダ１の上部に設けてある油圧モータ２の回転軸２０に、伸縮可能なスパイラルオーガ５を取り付ける。スパイラルオーガ５は懸垂され、垂直なリーダ１と平行になる。なお、スパイラルオーガ５は、所要長さの芯部材５０にスパイラル部材５１を外嵌めしてスライド可能（互いに周方向へは回転しない）に設け、伸張位置でスライドにロックがかかって長さが自動的に固定される構造である。
【００４５】
（２）スパイラルオーガ５の係止ピン（図示省略）を外す等してスパイラルオーガ５のスパイラル部材５１をスライド下降させ地面に落とす。そして、リーダ１上部の伸縮体１１を伸張してスパイラルオーガ５の芯部材５０を上昇させ、スパイラルオーガ５の全長を伸ばす。スパイラルオーガ５は所定の長さで、スライドがロックし、長さが固定される（図４参照）。
（３）油圧モータ２を駆動し、回転軸２０を回転させながらリーダ上部の伸縮体１１を縮小してスパイラルオーガ５を下降させ、スパイラル部材５１により地面Ｇに穿孔する（図５参照）。
【００４６】
（４）リーダ１上部の伸縮体１１を伸張してスパイラルオーガ５を上昇させ、穿孔された孔部１００から抜く。伸張しているスパイラルオーガ５は、上記と逆の操作で縮小し、係止ピンで長さを固定しておく。
（５）スパイラルオーガ５を油圧モータ２の回転軸２０から取り外し、回転軸２０に必要な長さのスパイラル杭６を取り付ける。なお、スパイラルオーガ５の取り付け、取り外しやスパイラル杭６の取り付け作業は、アタッチメントＡに備えた電動ウインチ１６を使用し、ワイヤ１６１で吊って行う（図６参照）。
【００４７】
（６）リーダ１上部の伸縮体１１を縮小し、スパイラル杭６を下降させて杭用ガイド１７のガイド孔１７１に通す。油圧モータ２を駆動し、スパイラル杭６を回転させながら更に下降させて、地面Ｇに設けた孔部１００をガイドとして建て込む。リーダ１上部の伸縮体１１が最も縮小したとき、スパイラル杭６の上部は、一部（スパイラルオーガ５の縮小時の長さ程度）地面Ｇから突出している（図７参照）。
（７）スパイラル杭６の上部から油圧モータ２の回転軸２０を取り外し、リーダ１上部の伸縮体１１を伸張し、上昇させる。そして、地面Ｇに残ったスパイラル杭６の上部と油圧モータ２の回転軸２０の間にスペーサ杭６０を着脱可能に接合する（図８参照）。
【００４８】
（８）油圧モータ２を駆動し、スパイラル杭６とスペーサ杭６０を回転させながらリーダ１上部の伸縮体１１を縮小し、スパイラル杭６とスペーサ杭６０を更に下降させて地面Ｇに建て込む。スパイラル杭６の上端部が地面Ｇから所要長さ突出する位置まで下降したときに、油圧モータ２の駆動が止められ、スペーサ杭６０がスパイラル杭６と回転軸２０から取り外される（図９参照）。なお、必要に応じてスペーサ杭６０を次々に接合して埋設し、より長尺の杭とすることもできる。
そして、必要であれば隣接する複数の箇所にも同様にして杭打作業を行う。また、更に架線Ｃを越える必要がある場合は、上記と同様に架線Ｃの下方を潜らせるようにしてアタッチメントＡを据えて作業を行う。このようにして、ポイントＰにおける杭打作業が完了する。
【００４９】
図１０はウインチを使用しないで簡易的に杭等の吊り上げを行う手段を示す説明図である。
穴掘り杭打ち機Ｂは、伸縮体１１の伸縮機能を利用して、電動ウインチ１６を使用しないでも、スパイラルオーガ５やスパイラル杭６の吊り上げ、吊り降ろし作業を行うことができる。その方法は次のとおりである。
【００５０】
まず、ワイヤ取付片１５に、先端部に取付具１５１を有する吊りワイヤ１５０の基端部を取り付け、他端側は伸縮体１１のヘッド部１１２上面の前後に設けてある滑車１１３、１１４に掛ける。なお、吊りワイヤ１５０の長さは、図１０に示すように、伸縮体１１が伸張したときに、取付具１５１が油圧モータ２の回転軸２０近傍まで上昇する長さに設定されている。
【００５１】
このように構成すれば、まず、伸縮体１１を縮小しておき、吊りワイヤ１５０の取付具１５１にスパイラル杭６等を取り付け、伸縮体１１を伸張すれば、伸縮体１１のストロークの二倍のストロークで吊りワイヤ１５０を引くことができ、これによりスパイラル杭６等を吊り上げて回転軸２０に取り付ける作業が可能になる。なお、スパイラル杭６等の吊り降ろし作業は、上記と逆の手順で行えばよい。
【実施例２】
【００５２】
図１１は穴掘り杭打ち機の他の構成を示す説明図である。
なお、図１１において、上記アタッチメントＡ及び穴掘り杭打ち機Ｂと同一または同等箇所には同一の符号を付して示している。
【００５３】
穴掘り杭打ち機Ｂは、例えば、より太く強固な杭を建て込むとき、あるいは比較的耐力のある地面に杭を建て込むときに、構成を変えて穴掘り杭打ち機Ｂ１として作業を行うことができる。その方法は次のとおりである。
【００５４】
油圧式ショベル系掘削機Ｓのアーム３をブーム４から取り外し、ブーム４先端にアタッチメントＡを取り付ける。ブーム４先端部は、取付ブラケット１４の下側の取付孔１４１にピンを介し軸着され、油圧シリンダ４０のロッド４１先端部は上部側の取付孔１４２にピンを介し軸着されている。
【００５５】
アタッチメントＡのリーダ１を垂直にして地面Ｇに据えた後、油圧式ショベル系掘削機Ｓぼ前部に設けてある取付部４２とアタッチメントＡの連結ブラケット１３間に、間隔固定部材７を着脱可能に取り付ける。間隔固定部材７は、調整ハンドル７０を回して長さの伸縮調整ができるようになっており、調整ハンドル７０を伸張方向または縮小方向へきつく回すことにより、補助的ではあるが実質的に取付部４２と連結ブラケット１３の間隔を固定できる。
【００５６】
このようにして、穴掘り杭打ち機Ｂ１を構成することができる。穴掘り杭打ち機Ｂ１によれば、ブーム４、アタッチメントＡ、間隔固定部材７によって三角形状をつくり、各関節部を強固に固定して関節部のブレ、ガタが生じることがないようにして穴掘りと杭打ち作業を行うことができる。
従って、穴掘り杭打ち機Ｂ１は、上記のようにアーム３先端にアタッチメントを取り付けた場合と比較して、アタッチメントＡのより強固な支持が可能になるので、より太く強固な杭を建て込むとき、あるいは比較的耐力のある地面に杭を建て込むときに作業が確実にできる。
【実施例３】
【００５７】
図１２は穴掘り杭打ち用アタッチメントの他の実施例を示し、リーダ下部の構造説明図である。なお、図１２において、上記アタッチメントＡと同一または同等箇所には同一の符号を付して示している。
【００５８】
本実施例では、リーダ１の下部が伸縮可能であり、アタッチメントＡを宙に浮かせた状態から、ブーム４やアーム３を操作することなくリーダ１下部の接地が可能である。
接地部材１２の接地板１２１は上記と同様に揺動可能である。接地部材１２の上部にはスライド体１２０が設けてあり、スライド体１２０はリーダ基体１０の下部に設けてあるガイド１０１に昇降スライド可能に収容してある。
リーダ基体１０の後面側には油圧シリンダ１０２が設けてあり、下向きのロッド１０３はスライド体１２０から後方へ向け設けてあるアングル１２３にピンを介し軸着してある。
【００５９】
上記構造によれば、アタッチメントＡを施工地に設定するときに、リーダ１下端部である接地板１２１を地面Ｇから浮かせた状態でリーダ１を垂直に設定し、ブーム４やアーム３を動かすことなく油圧シリンダ１０２のロッド１０３を伸張させて接地板１２１を地面Ｇに接地させることができる。
このように、本実施例によれば、ブーム４またはアーム３の操作により、リーダ１の下端部の地面Ｇへの接地と垂直度を同時に調整するよりも作業が簡単かつ迅速にできる。
【実施例４】
【００６０】
図１３は穴掘り杭打ち用アタッチメントの他の実施例を示し、リーダ上部の構造説明図である。なお、図１３において、上記アタッチメントＡと同一または同等箇所には同一の符号を付して示している。
【００６１】
伸縮体の伸縮ストロークは、建て込む杭の長さに応じて適宜設定される。図１、図２で示したアタッチメントＡでは、伸縮体１１の挿入部１１１は一段のみであったが、本実施例のアタッチメントＡ１のリーダ１ａのように、伸縮体１１ａの挿入部１１１ａを二段にすることもできる。
リーダ１ａでは、伸縮体１１ａを伸縮させる油圧シリンダ１８ａもロッド１８２ａが二段式のものが採用されている。
これによれば、伸縮体１１ａの伸縮ストロークを更に長くすることができ、より長尺の杭の建て込みも可能になる。
【００６２】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６３】
【図１】本発明に係る穴掘り杭打ち用アタッチメントの一実施例を示す説明図。
【図２】図１に示す穴掘り杭打ち用アタッチメントのリーダ上部が伸張した状態を示す説明図。
【図３】作業機のアーム先端に穴掘り杭打ち用アタッチメントを取り付けて穴掘り杭打ち機を構成し、アームとアタッチメントを架線の下を潜らせている状態を示す説明図。
【図４】架線の下を潜らせた穴掘り杭打ち用アタッチメントを垂直に立てて地面に据え、更にリーダ上部を伸張し、オーガを伸張させた状態を示す説明図。
【図５】オーガを下降させ、地面に穿孔した状態の説明図。
【図６】オーガを取り外した後、スパイラル杭を吊り上げてモータの回転軸に取り付けた状態を示す説明図。
【図７】スパイラル杭を下降させて先部を地面に立て込んだ状態を示す説明図。
【図８】スパイラル杭とモータ回転軸との間にスペーサ杭を取り付けた状態を示す説明図。
【図９】スパイラル杭を所定の深さまで立て込んだ状態を示す説明図。
【図１０】ウインチを使用しないで簡易的に杭等の吊り上げを行う手段を示す説明図。
【図１１】穴掘り杭打ち機の他の構成を示す説明図。
【図１２】穴掘り杭打ち用アタッチメントの他の実施例を示し、リーダ下部の構造説明図。
【図１３】穴掘り杭打ち用アタッチメントの他の実施例を示し、リーダ上部の構造説明図。
【図１４】従来の穴掘り杭打ち機の使用方法を示す説明図。
【符号の説明】
【００６４】
Ａ、Ａ１  穴掘り杭打ち用アタッチメント
Ｂ、Ｂ１  穴掘り杭打ち機
Ｓ  油圧式ショベル系掘削機
１、１ａ  リーダ
１０  リーダ基体
１１、１１ａ  伸縮体
１００  孔部
１０１  ガイド
１０２  油圧シリンダ
１０３  ロッド
１１１、１１１ａ  挿入部
１１２  ヘッド部
１１３、１１４  滑車
１１５  吊下支持部材
１２  接地部材
１２０  スライド体
１２１  接地板
１２２  軸
１２３  アングル
１３  連結ブラケット
１３１  連結孔
１４  取付ブラケット
１４１、１４２  取付孔
１５  ワイヤ取付片
１５０  ワイヤ
１５１  取付具
１６  電動ウインチ
１６１  ワイヤ
１６２  取付具
１７  杭用ガイド
１７１  ガイド孔
１８  油圧シリンダ
１８１  シリンダ
１８２  ロッド
１８３、１８４  ピン
１８ａ  油圧シリンダ
１８２ａ  ロッド
２  油圧モータ
２０  回転軸
２１  ピン
３  アーム
３０  リンク
４  ブーム
４０  油圧シリンダ
４１  ロッド
４２  軸着部
５  スパイラルオーガ
５０  芯部材
５１  スパイラル部材
６  スパイラル杭
６０  スペーサ杭
７  間隔固定部材
７０  調整ハンドル
Ｃ  架線
Ｇ  地面
Ｐ  ポイント
【図１】
2005068729.tif 000003
【図２】
2005068729.tif 000004
【図３】
2005068729.tif 000005
【図４】
2005068729.tif 000006
【図５】
2005068729.tif 000007
【図６】
2005068729.tif 000008
【図７】
2005068729.tif 000009
【図８】
2005068729.tif 000010
【図９】
2005068729.tif 000011
【図１０】
2005068729.tif 000012
【図１１】
2005068729.tif 000013
【図１２】
2005068729.tif 000014
【図１３】
2005068729.tif 000015
【図１４】
2005068729.tif 000016